(57)【要約】【課題】表示パネルの位置の調節が容易で、しかも、表示パネルの締結強度・安定性にも優れている表示装置を提供する。【手段】表示パネル３はパネル支持体１２の前面に固定されており、パネル支持体１２は中間枠３２に第１固定用ねじ４１で締結されている。パネル支持体１２に螺合した第１調節用ねじ５８が中間枠３２に上から当接している。中間枠３２は第２固定用ねじ４２でサイドフレーム７に締結されている。中間枠３２には横長の第２調節用ねじ５０が螺合しており、第２調節用ねじ５０の先端をサイドフレーム７に当接している。ねじ挿通穴４３，４５は長穴になっており、固定用ねじ４１，４２を緩めて調節用ねじ４８，５０を回転操作することでパネル支持体１２の高さと左右位置と正面視姿勢とを微調整できる。【選択図】図６
2012037569.tif 000002
【特許請求の範囲】
【請求項１】
表示パネルが取り付くパネル支持体と、前記パネル支持体が取り付く本体枠とを有しており、前記パネル支持体を固定用ねじで前記本体枠に直接に締結しているか、又は、前記パネル支持体を第１固定用ねじで中間枠に締結して前記中間枠を第２固定用ねじで前記本体枠に締結している、
という構成であって、
前記固定用ねじは前記表示パネルの表示面と直交する方向に延びており、前記固定用ねじが嵌まるねじ挿通穴を長穴又は大径穴とすることにより、パネル支持体又は中間枠若しくは両方の位置を調節することが許容されており、かつ、前記パネル支持体の位置又は中間枠の位置が、前記固定用ねじと直交した方向に延びる調節用ねじの回転操作によって変更可能になっている、
表示装置。
【請求項２】
前記第１固定用ねじが嵌まる第１ねじ挿通穴及び前記第２固定用ねじが嵌まる第２ねじ挿通穴は互いに直交した方向に延びる長穴になっている一方、
前記パネル支持体には、前記第１ねじ挿通穴と同じ方向に延びる第１調節用ねじが、その先端が前記中間枠に当接する状態で螺合しており、更に、前記中間枠には、前記第２ねじ挿通穴と同じ方向に延びる第２調節用ねじが、その先端が前記本体枠に当接する状態で螺合している、
請求項１に記載した表示装置。
【請求項３】
前記固定用ねじと調節用ねじとはいずれも前記表示パネルの外側に露出している、
請求項１又は２に記載した表示装置。
【請求項４】
前記本体枠は上下長手で平行に延びる左右のサイドフレームを有しており、前記中間枠は前記左右のサイドフレームに水平状に架け渡し配置されており、
前記中間枠は、前記パネル支持体の左右外側に突出した状態で前記本体枠に重なる重合部を有しており、この重合部が前記第２固定用ねじで本体枠に締結されており、かつ、前記パネル支持体には、前記中間枠の重合部に向けて開口すると共に前記表示パネルの左右外側に露出した切欠き部が形成されており、前記切欠き部に前記第２調節用ねじの頭を露出させることにより、第２調節用ねじの回転操作を前記切欠き部から行えるようになっている、
請求項１又は２に記載した表示装置。
【発明の詳細な説明】
【技術分野】
【０００１】
本願発明は、例えば広告等の各種情報を不特定多数の人に提供するために使用される表示装置に関するものである。
【背景技術】
【０００２】
商品の宣伝や公的な案内のような各種情報の提供のために、液晶パネルやプラズマパネルのような電子式表示パネルを有する表示装置が使用されており、各種施設や屋外などに設置されている。この表示装置は、大まかには表示パネルが固定された本体と表示パネルを外から覆う扉（カバー、蓋）とで構成されており、扉には表示パネルの画像を視認するための窓穴が空いており、窓穴には透明板を取り付けている。表示パネルは一般に四角形になっており、従って窓穴も四角形になっている。なお、表示パネルはディスプレイ又はモニターと呼ばれることも多い。
【０００３】
本体も扉も表示パネルも設計値は存在しているが、現実には加工誤差や組み立て誤差が発生することは避け難く、このため、表示パネルの画像表示エリアと蓋の窓穴との間に位置ずれや姿勢のずれ（傾き）が生じることがある。そこで、表示パネルの位置や姿勢を微調整できるようにすることが提案されている。
【０００４】
その例として特許文献１には、トレー状の筐体内に表示パネルを縦横両方向に移動可能な状態に配置し、筐体の一方の縦辺部と表示パネルの一方の縦辺部との間、及び、筐体の一方の横辺部と表示パネルの一方の横辺部との間にそれぞれ板ばねを配置し、更に、筐体の他方の縦辺部及び他方の横辺部にそれぞれ表示パネルの側面に当接する調節ねじを螺合したものが開示されている。この特許文献１では、調節ねじを回転操作して、表示パネルを板ばねに抗して押したり板ばねで戻し移動させたりすることにより、表示パネルの位置を縦横の両方向に微調整できると共に、正面視での傾きを是正して適性な姿勢に修正できる。
【先行技術文献】
【特許文献】
【０００５】
【特許文献１】特開平１１−１９０９７４号公報
【発明の概要】
【発明が解決しようとする課題】
【０００６】
さて、この種の表示装置は建物の壁や柱に取り付けたり、屋外に設置した支持枠に取り付けたりしているが、一般に相当の大きさ・重量があり、従って、地震や振動によって部材が離散しないように高い安全性・安定性が要求される。
【０００７】
しかし、特許文献１のものは板ばねの弾性力を利用して位置を保持するものであるため、安定性が高いとは言い難い。また、表示パネル自体をねじで直接に押すものであるため、表示パネルにはこれを変形させるような外力が常に作用しており、このため表示パネルの耐久性の低下も懸念される。
【０００８】
また、他の従来技術として、本体枠にパネル支持体をねじで固定して、パネル支持に表示装置をねじで固定したタイプの表示装置もあり、パネル支持体の締結位置を微調整できるものもあるが、この従来品は本体にパネル支持体を締結するためのねじが表示装置の裏側に隠れているため、微調整に際してはいちいち表示装置を取り外して付け直すという手順を踏まねばならず、このため、作業が非常に厄介であった。
【０００９】
本願発明はこのような現状に鑑み成されたものであり、微調整機能をしっかりと保持しつつ表示パネルの締結強度・安定性等に優れた表示装置を提供せんとするものである。
【課題を解決するための手段】
【００１０】
本願発明の表示装置は、表示パネルが取り付くパネル支持体と、前記パネル支持体が取り付く本体枠とを有しており、前記パネル支持体を固定用ねじで前記本体枠に直接に締結しているか、又は、前記パネル支持体を第１固定用ねじで中間枠に締結して前記中間枠を第２固定用ねじで前記本体枠に締結している、という基本構成になっている。
【００１１】
そして、請求項１の発明では、前記固定用ねじは前記表示パネルの表示面と直交する方向に延びており、前記固定用ねじが嵌まるねじ挿通穴を長穴又は大径穴とすることにより、パネル支持体又は中間枠若しくは両方の位置を調節することが許容されており、かつ、前記パネル支持体の位置又は中間枠の位置が、前記固定用ねじと直交した方向に延びる調節用ねじの回転操作によって変更可能になっている。
【００１２】
なお、ねじで部材を締結する場合、ねじ挿通穴はねじの外径よりも大径になっており、ねじの外面とねじ挿通穴の内面との間にクリアランスが存在することが普通であるが、本願発明でいう「大径」とは、通常より大きいクリアランスが生じるようなな径（例えば、ねじの外径の１．５倍以上）をいう。
【００１３】
請求項２の発明は請求項１を好適に具体化したもので、この実施形態では、前記第１固定用ねじが嵌まる第１ねじ挿通穴及び前記第２固定用ねじが嵌まる第２ねじ挿通穴は互いに直交した方向に延びる長穴になっている一方、前記パネル支持体には、前記第１ねじ挿通穴と同じ方向に延びる第１調節用ねじが、その先端が前記中間枠に当接する状態で螺合しており、更に、前記中間枠には、前記第２ねじ挿通穴と同じ方向に延びる第２調節用ねじが、その先端が前記本体枠に当接する状態で螺合している。
【００１４】
請求項３の発明は請求項１又は２の展開例であり、この発明では、前記固定用ねじと調節用ねじとはいずれも前記表示パネルの外側に露出している。
【００１５】
請求項４の発明は請求項３を具体化したもので、まず、前記本体枠は上下長手で平行に延びる左右のサイドフレームを有しており、前記中間枠は前記左右のサイドフレームに水平状に架け渡し配置されている。更に、前記中間枠は、前記パネル支持体の左右外側に突出した状態で前記本体枠に重なる重合部を有しており、この重合部が前記第２固定用ねじで本体枠に締結されており、かつ、前記パネル支持体には、前記中間枠の重合部に向けて開口すると共に前記表示パネルの左右外側に露出した切欠き部が形成されており、前記切欠き部に前記第２調節用ねじの頭を露出させることにより、第２調節用ねじの回転操作を前記切欠き部から行えるようになっている。
【発明の効果】
【００１６】
本願発明では、表示パネルが取り付けられたパネル支持体の位置を微調整するものであるため、表示パネルにはこれを変形させるような外力が作用することはなく、このため表示パネルの耐久性低下を防止できる。
【００１７】
そして、パネル支持体は中間枠又は本願発明に固定用ねじで締結されているため、全体としての剛性が高く、締結強度と安定性とに優れている。しかも、調節用ねじを回転操作してパネル支持体又は中間枠の位置を調節するものであるため、微調整を簡単かつ確実に行える。更に述べると、調節用ねじの回転によってパネル支持体又は中間枠はごく僅かだけ移動し、しかも、パネル支持体や中間枠は調節用ねじで支持されているため、パネル支持体や中間枠をいちいち手で持っているような手間は不要であり、このため、位置・姿勢の微調整を簡単かつ確実に行えるのである。
【００１８】
請求項２のようにねじ挿通穴を長穴とすることで表示パネルの位置調節を可能にすると、通常のボルトやビスを使用してしっかりと締結できる利点である。また、表示パネルを正確に位置決めするために縦横両方向（ＸＹ方向）に移動調節したり正面視姿勢を調節したりせねばならない場合が多いが、請求項２のように中間枠を採用すると、長穴による単純な調節方式を採用して表示パネルを縦横の両方向に微調整できるため、比較的単純な構造で表示パネルの位置を縦横に正確に微調整できる。
【００１９】
請求項３の構成を採用すると、表示パネルをパネル支持体に固定した状態で固定用ねじと調節用ねじとを回転操作できるため、微調整に際していちいち表示装置を取り外したり付けなおしたりする必要はないのであり、このため表示パネルの位置の調節を能率良く行える。また、請求項４の構成を採用すると、第２調節用ねじが切欠きの箇所に隠れているため、設置作業に際して第２調節用ねじに物が引っ掛かるような不具合を防止できる。
【図面の簡単な説明】
【００２０】
【図１】（Ａ）は表示装置の概略斜視図、（Ｂ）は表示装置を建物に取り付けた状態での部分的な概略縦断側面図である。
【図２】（Ａ）は扉を開いた状態での概略斜視図、（Ｂ）は表示装置を建物に取り付けた状態での部分的な平断面図である。
【図３】（Ａ）は本体枠の大まかな正面図、（Ｂ）は表示装置を建物に取り付けた状態での概略縦断側面図である。
【図４】要部の正面図である。
【図５】（Ａ）は要部の分離正面図、（Ｂ）は（Ａ）のＢ−Ｂ視図、（Ｃ）は（Ａ）のＣ−Ｃ視拡大図、（Ｄ）は（Ａ）のＤ−Ｄ視拡大断面図である。
【図６】（Ａ）は要部の部分的な正面図、（Ｂ）は（Ａ）のＢ−Ｂ視断面図、（Ｃ）は（Ａ）のＣ−Ｃ視断面図である。
【発明を実施するための形態】
【００２１】
次に、本願発明の実施形態を図面に基づいて説明する。本実施形態は例えば商業施設に設置するタイプに適用しており、図１（Ａ）に示すように、コンクリート製の柱（角形柱）Ｈに取り付けている。もとより、柱Ｈへの取り付けは一つの設置態様に過ぎず、建物の壁や専用の枠材など様々な対象物に取り付けることができる。
【００２２】
(1).表示装置の概要
まず、図１〜３を参照で概要を説明する。表示装置は、上下長手の本体枠１とこれを前から覆う扉２とを有しており、本体枠１に液晶式等の表示パネル３を取り付けて、扉２には窓穴４を空けている。窓穴４は透明板５で塞がれており、透明板５は扉２の裏面に押さえ部材６で固定されている。
【００２３】
本体枠１は、上下に長い左右のサイドフレーム７と、サイドフレーム７の上端に固定された左右横長のアッパフレーム８と、サイドフレーム７の下端に固定された左右横長のロアフレーム９とを有しており、従って前後に開口している。更に、左右のサイドフレーム７は、上端寄りの箇所は上部ステー９で連結されて下端よりの２カ所は上下２本の下部ステー１０ａ，１０ｂで連結されている。各ステー１０ａ，１０ｂは補強機能と部材取り付け機能とを有しており、例えば下部ステー１０ｂに制御用パソコン１１を取り付けることができる。
【００２４】
表示パネル３は本体枠１のおおよそ上下中間部に配置されており、パネル支持体１２に固定されている。そして、詳細は後述するが、パネル支持体１２の高さ（上下位置）と左右位置と姿勢とを調節することにより、表示パネル３の表示エリアと窓穴４とが正確に位置決めされる。
【００２５】
図２（Ｂ）に示すように、サイドフレーム７は側板１４を有しており、側板１４の前端には内向きの前面板１５が折り曲げ形成されている。また、側板１４は内側に２段階に折り曲げられており、このため、内向きに延びる第１段部１６と第２段部１７とを有している。第１段部１６と第２段部１７とは第１壁部１８で繋がっており、更に、第２段部１７の内端には奥側に向けて延びる第２壁部１９を設けている。第２壁部１９にアングル材２０をねじ２１で固定し、アングル材２０を建物の柱Ｈにアンカーボルト２２で固定している。
【００２６】
アッパフレーム８とロアフレーム９とは断面Ｌ形の形態であり、その前端にはサイドフレーム７と同様に前面板１５が折り曲げ形成されている。例えば図２（Ａ）に示すように、アッパフレーム８にはうしろ向きに開口した左右横長の凹部８ａが形成されている。これは表示パネル３やパソコン１１で発生した熱を効率良く逃がすための措置である。なお、図２（Ｂ）において符号２３で示すのは柱Ｈの四隅に立設したコーナー部材、符号２４で示すのはコーナーカバーである。
【００２７】
扉２は、前面板の周囲に側板が連続した浅いトレー状に構成されており、その一側部が蝶番２６によって本体枠１の一方のサイドフレーム７に連結されている。従って、扉２はその印即部を中心に水平回動して本体枠１を開閉する。扉２における側板の後端には、本体枠１の前面板１５に重なる断面Ｌ形の内向き片２５が折り曲げ形成されている。内向き片２５が本体枠１の前面板１５に嵌合することにより、扉２は本体枠１に対して正確に位置決めされる。図示していないが、扉２に錠を設けている。扉２の内面には上下長手の補強枠２７を固着している。
【００２８】
(2).調節機構の詳細
次に、図４以下の図面も参照して表示パネル３の取り付け構造（位置調節機構）を説明する。図３，４に示すように、パネル支持体１２は金属板製であっておおよそ正面視四角形に形成されており、その前面に表示パネル３がねじ（図示せず）で固定される。このため、パネル支持体１２には表示パネル３を固定するためのビス穴２９が多段に複数個ずつ空けられている。
【００２９】
また、パネル支持体１２には、左右方向に長く延びる上下２段の角形透かし穴３０が空いている。角形透かし穴３０の存在により、軽量化できると共に放熱性を向上できる。また、角形透かし穴３０からケーブルを引出したりケーブル接続口を露出させたりすることも可能である。透かし穴３０の形状や個数、位置は任意に設定できる。全体をパンチングメタルで構成することも可能である。図２（Ｂ）、図３（Ｂ）、図５（Ｂ）に示すように、パネル支持体１２の四周には、補強のため、上下及びサイドの折り曲げ片３１ａ，３１ｂ，３１ｃが形成されている（なお、折り曲げ片が途切れている箇所もある。）。
【００３０】
例えば図５，６に示すように、パネル支持体１２は上下２本の中間枠３２に固定されており、中間枠３２の左右両端部が本体枠１のサイドフレーム７に固定されている。中間枠３２は、サイドフレーム７の第１段部１７に重なる左右の重合部３３と、重合部３３に固定されたステー部３４とを有している。重合部３３には、サイドフレーム７の第１壁部１８と対向した状態で奥側に突出する壁板３５と、壁板３５の後端（先端）から内向きに突出した段落ち部３６とを有している。
【００３１】
他方、ステー部３４は手前に向けて開口して略コの字形の基本形状になっており、このため中間枠３２は上面板３７を有している。そして、ステー部３４の左右側部の底部に段落ち部３６がスポット溶接されている。また、ステー部３４の上端と下端との前端は下向きに折り曲げられており、このため、中間枠３２は上部前面板３８と下部前面板３９とを有している。下部前面板３９の下端には補強のためリップ３９ａを後ろ向きに突設している。
【００３２】
そして、パネル支持体１２は上下中間枠３２の前面板３８，３９に重なっており、パネル支持体１２の左右両側部が、それぞれ上下中間枠３２の下部前面板３９に前後長手の第１固定用ねじ４１で締結されている。また、中間枠３２の重合部３３は上下２本ずつの第２固定用ねじ４２でサイドフレーム７の第１段部１４に締結されている。窓穴４には第１固定用ねじ４１が嵌まる第１ねじ挿通穴４３が空いており、中間枠３２における下部前面板３８の裏面には第１固定用ねじ４１が螺合する第１固定用ナット４４を溶接している。第１ねじ挿通穴４３は上下に長い長穴になっている。
【００３３】
他方、中間枠３２の重合部３３には前後長手の第２固定用ねじ４２が挿通される第２ねじ挿通穴４５が空いており、また、サイドフレーム７における第１段部１４の裏面（後面）には、第２固定用ねじ４２が螺合する第２固定用ナット４６を溶接している。第２ねじ挿通穴４５は左右方向（表示装置の間口方向）に長い長穴になっている。従って、第１ねじ挿通穴４３と第２ねじ挿通穴４５とは互いに直交した方向に長く延びている。なお、固定用ねじ４１，４２は十字穴付きのビスを採用しているが、六角ボルトのようなボルトを使用してもよい。
【００３４】
パネル支持体１２における上折り曲げ片３６ａの左右端部の下面に第１調節用ナット４７が溶接されており、この第１調節用ナット４７に上下長手の第１調節用ねじ４８が螺合している。第１調節用ねじ４８の下端は中間枠３２の上面板３７に上方から当接している。従って、パネル支持体１２はずれ落ち不能に保持されていると共に、各第１固定用ねじ４１を緩めて左右の第１調節用ねじ４８を回転操作するとパネル支持体１２の高さを微調整できる。
【００３５】
中間枠３２における段落ち部３６の外面には第２調節用ナット４９が溶接されており、この第２調節用ナット４９に左右横長の第２調節用ねじ５０が内側から螺合している。第２調節用ねじ５０の先端はサイドフレーム７の第１壁部１８に当接している。従って、各第２固定用ねじ４２を緩めてから左右の第２調節用ねじ５０を回転操作することにより、パネル支持体１２の左右位置を微調整できる。
【００３６】
第２調節用ねじ５０は六角ナットを使用しており、パネル支持体１２の左右側部には、第２調節用ねじ５０をスパナで回転操作できるように、中間枠３２の重合部３３に向いて開口した切欠き部５１が切り開き形成されている。各固定用ねじ４１，４２と調節用ねじ４８，５０は表示パネル３の左右外側に露出しており、従って、パネル支持体１２を表示パネル３を固定した状態で各ねじ４１，４２，４８，５０を手前側から回転操作することにより、パネル支持体１２の高さ位置と左右位置と正面視姿勢とを微調整できる。
【００３７】
例えば図５（Ｃ）に示すように、中間枠３２における重合部３３の外端には側面視鉤形で後ろ向きに突出した係合爪５２を一体に設けている一方、サイドフレーム７の第１段部１６には係合爪５２が嵌まり込む上下長手で角形の係合穴５３を形成している。係合爪５２を係合穴５３に落とし込むことにより、中間枠３２は第２ねじ挿通穴４５を第２固定用ナット４６の高さに維持した状態で、左右サイドフレーム７に落下不能でかつ離反不能に保持されている。従って、中間枠３２を固定するに際して一々中間枠３２を手で持って高さを維持しておく必要はない。この点、本実施形態の利点の一つである。
【００３８】
以上のとおり、各固定用ねじ４１，４２を緩めてから各調節用ねじ４８，５０を回転操作することにより、パネル支持体１２の上下位置と左右位置と正面視での姿勢とを微調整することができる。このため、表示パネル３の表示エリアと窓穴４との相対的な位置・姿勢（傾き）を正確に定めることができる。
【００３９】
各ねじ４１，４２，４８，５０はいずれも表示パネル３の外側に露出していて手前側から回転操作できるため、表示パネル３とパネル支持体１２と中間枠３２とを一体に組み込んでユニット化した状態のままで本体枠１に取り付けることができる。従って、予め配線作業を完了させてから表示パネル３を本体枠１にセットできるのであり、このため作業性に優れている。
【００４０】
この場合、表示パネル３とパネル支持体１２と中間枠３２とより成る表示ユニットは相当の重量があるが、本実施形態のように係合爪５２と係合穴５３はの組み合わせのような係合手段（仮保持手段）を設けると、一々表示ユニットの高さを人手で保持しなくても第２固定用ねじ４２のねじ込み作業を行えるため、特に好適である。
【００４１】
また、第２調節用ねじ５０を中間枠３２の壁板３５に設けてパネル支持体１２に切欠き部５１を形成すると、第２調節用ねじ５０に物が引っ掛かることを防止できるのみならず、第２調節用ねじ５０はサイドフレーム７の第１壁部１８に当接させるだけであるため、構造を簡単化できる。
【００４２】
(3).その他
本願発明は、上記の実施形態の他にも様々に具体化できる。例えば表示装置の形状や構造は表示パネルの形状等に応じて適宜変更できる。例えば横長の形態とすることも可能であるし、１台の表示装置に複数の表示パネル（及びパネル支持体）を取り付けることも可能である。扉を設ける場合、着脱式や跳ね上げ回動式とすることも可能である。
【００４３】
パネル支持体を一方向にしか調節する必要がない場合は、必ずしも中間枠は必要ない。中間枠を使用する場合、その個数は任意に設定できる。例えば１つのパネル支持体に１つの中間枠み使用したり、１つのパネル支持体に３つ以上の中間枠を使用したりすることも可能である。各ねじにロックナットを螺合してもよい。調節用ねじとしては、蝶ボルトのようにレンチやスパナなしで回転させ得るねじを使用することも可能である。
【符号の説明】
【００４４】
１  本体枠
２  扉
３  表示パネル
４  窓穴
５  透明板
７  本体枠のサイドフレーム
１２  パネル支持体
１６  サイドフレームの第１段部
１８  サイドフレームの第１壁部
３２  中間枠
３３  中間枠の重合部
３５  中間枠の壁板
４１  第１固定用ねじ
４２  第２固定用ねじ
４３  第１ねじ挿通穴
４５  第２ねじ挿通穴
４８  第１調節用ねじ
５０  第２調節用ねじ
５１  パネル支持体の切欠き部
【図１】
2012037569.tif 000003
【図２】
2012037569.tif 000004
【図３】
2012037569.tif 000005
【図４】
2012037569.tif 000006
【図５】
2012037569.tif 000007
【図６】
2012037569.tif 000008